【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
皮下組織部位に減圧をもたらしかつ前記皮下組織部位から流体を除去するシステムにおいて、前記システムが：
前記皮下組織部位において減圧を分配するためのマルチルーメンのアプリケータと；
前記マルチルーメンのアプリケータに流体的に結合された減圧源と；
前記マルチルーメンのアプリケータに流体的に結合されたパージユニットと；
を含み、
前記マルチルーメンのアプリケータが：
複数のアパーチャを備えて形成されたアプリケータ本体と、
前記複数のアパーチャを通って前記組織部位から流体を収容するように最初は流体的に構成された第１のルーメンと、
前記第１のルーメンにパージ流体をもたらすように最初は構成された第２のルーメンと、
前記第１のルーメンと第２のルーメンとの間に配置された第１の壊れやすい部材であって、第１の閾値圧力差を上回る圧力差に曝されると破裂するように構成され、それにより、前記第２のルーメンの少なくとも一部分と前記第１のルーメンの一部分が流体的に結合される、第１の壊れやすい部材と
を含むことを特徴とする、システム。
【請求項２】
請求項１に記載のシステムにおいて、前記マルチルーメンのアプリケータが：
第２の閾値圧力差を上回る圧力差に曝されると破裂するように動作可能な第２の壊れやすい部材と；
前記第２の壊れやすい部材がなければ前記複数のアパーチャに流体的に結合される第３のルーメンであって、それにより、前記第２の壊れやすい部材が破裂すると、前記複数のアパーチャに流体的に結合される第３のルーメンと、
をさらに含むことを特徴とする、システム。
【請求項３】
皮下組織部位に減圧をもたらすシステムにおいて、前記システムが：
前記皮下組織部位において減圧を分配するためのマルチルーメンのアプリケータと；
前記マルチルーメンのアプリケータに流体的に結合された減圧源と；
前記マルチルーメンのアプリケータに流体的に結合されたパージユニットと；
を含み、
前記マルチルーメンのアプリケータが：
複数のアパーチャを備えて形成されたアプリケータ本体と、
前記複数のアパーチャを通して前記組織部位から流体を受け取るように最初は流体的に構成された第１のルーメンと、
前記第１のルーメンにパージ流体をもたらすように最初は構成された第２のルーメンと、
前記第１のルーメンと第２のルーメンとの間に配置された活性化部材であって、活性化されると、前記第２のルーメンの少なくとも一部分と前記第１のルーメンの一部分を流体的に結合し、それにより、前記第２のルーメンの少なくとも一部分が、前記組織部位からの前記流体を前記第２のルーメンの少なくとも一部分を通過させて移送させるように構成されている活性化部材と
を含むことを特徴とする、システム。
【請求項４】
請求項３に記載のシステムにおいて、前記第１の活性化部材が、第１の閾値圧力差を上回る圧力差に曝されると活性化する第１の壊れやすい部材を含むことを特徴とする、システム。
【請求項５】
請求項３に記載のシステムにおいて、前記第１の活性化部材が、第１の閾値時間を上回る時間流体に曝されると活性化される第１の壊れやすい部材を含むことを特徴とする、システム。
【請求項６】
請求項３に記載のシステムにおいて、前記第１の活性化部材が、第１の閾値時間を上回る時間液体に曝されると活性化される第１の壊れやすい部材を含むことを特徴とする、システム。
【請求項７】
請求項３に記載のシステムにおいて、前記第１の活性化部材が圧力活性化弁を含むことを特徴とする、システム。
【請求項８】
請求項３に記載のシステムにおいて、前記第１の活性化部材が、遠隔から活性化される弁を含むことを特徴とする、システム。
【請求項９】
請求項３に記載のシステムにおいて、前記マルチルーメンのアプリケータが：
前記第１のルーメンにパージ流体をもたらすように最初は構成された第３のルーメンと、
前記第３のルーメンと前記第１のルーメンとの間に配置された第２の活性化部材であって、活性化されると、前記第３のルーメンの少なくとも一部分を前記第１のルーメンの少なくとも一部分に流体的に結合し、前記組織部位からの流体を前記第２のルーメンの少なくとも一部分を通過させて移送するように構成された第２の活性化部材と
をさらに含むことを特徴とする、システム。
【請求項１０】
組織部位に減圧を供給しかつ流体を受け取るマルチルーメンのアプリケータにおいて、
遠位端部および近位端部を有し、かつ前記組織部位から流体を受け取りかつ減圧を供給するために前記遠位端部に近接して複数のアパーチャを備えて形成されるアプリケータ本体と；
前記複数のアパーチャに流体的に結合された第１のルーメンと；
少なくとも閉鎖位置および開放位置を有する第１の活性化部材と；
前記第１の活性化部材が前記閉鎖位置にあるときではなく前記第１の活性化部材が前記開放位置にあるときに、前記複数のアパーチャに流体的に結合される第２のルーメンであって、それにより、前記第１の活性化部材が前記開放位置に動かされると、前記複数のアパーチャに流体的に結合される第２のルーメンと
を含むことを特徴とする、マルチルーメンのアプリケータ。
【請求項１１】
請求項１０に記載のマルチルーメンのアプリケータにおいて、前記第１の活性化部材が、活性化されると破裂する第１の壊れやすい部材を含むことを特徴とする、マルチルーメンのアプリケータ。
【請求項１２】
請求項１１に記載のマルチルーメンのアプリケータにおいて、前記第１の壊れやすい部材における圧力差が第１の閾値圧力差を上回ると、前記第１の壊れやすい部材が活性化されることを特徴とする、マルチルーメンのアプリケータ。
【請求項１３】
請求項１１に記載のマルチルーメンのアプリケータにおいて、閾値時間を上回る時間、液体に曝されると、前記第１の壊れやすい部材が活性化されることを特徴とする、マルチルーメンのアプリケータ。
【請求項１４】
組織部位に減圧を供給しかつ流体を受け取るマルチルーメンのアプリケータにおいて、
遠位端部および近位端部を有し、かつ前記遠位端部に近接して、流体を受け取る第１の複数のアパーチャ、および前記遠位端部に近接して、前記組織部位から流体を受け取りかつ減圧を供給する第２の複数のアパーチャを備えて形成されたアプリケータ本体と；
前記第１の複数のアパーチャに流体的に結合された第１のルーメンと；
前記第２の複数のアパーチャに流体的に結合された第２のルーメンと；
前記第２の複数のアパーチャに結合された第１の複数の活性化部材であって、流れを可能にするように活性化されると、閉鎖位置から開放位置へ移動するように動作可能な第１の複数の活性化部材と
を含むことを特徴とする、マルチルーメンのアプリケータ。
【請求項１５】
請求項１４に記載のマルチルーメンのアプリケータにおいて、前記第１の複数の活性化部材が複数の壊れやすい部材を含み、および前記壊れやすい部材が、閾値圧力差を上回る圧力差に曝されると破裂し、それにより、前記第２の複数のアパーチャが、液体を受け取るように動作可能であることを特徴とする、マルチルーメンのアプリケータ。
【請求項１６】
請求項１４に記載のマルチルーメンのアプリケータにおいて、前記第１の複数の活性化部材が複数の壊れやすい部材を含み、および前記壊れやすい部材が、閾値時間を上回る時間流体に曝されると破裂し、それにより、前記第２の複数のアパーチャが、前記組織部位から流体を受け取るように動作可能であることを特徴とする、マルチルーメンのアプリケータ。
【請求項１７】
請求項１４に記載のマルチルーメンのアプリケータにおいて、前記第１の複数の活性化部材が複数の壊れやすい部材を含み、および前記壊れやすい部材が、閾値時間を上回る時間液体に曝されると破裂し、それにより、前記第２の複数のアパーチャは、前記組織部位から流体を受け取るように動作可能であることを特徴とする、マルチルーメンのアプリケータ。
【請求項１８】
皮下組織部位に減圧を供給するマルチルーメンのアプリケータにおいて、
近位端部および遠位端部を有し、かつ前記遠位端部に近接して減圧を分配するために複数のアパーチャを備えて形成されたアプリケータ本体と；
前記複数のアパーチャに流体的に結合された第１のルーメンと；
前記複数のアパーチャに流体的に結合された第２のルーメンと；
前記第２のルーメン内に配置されていて、かつ前記第２のルーメン内で流体の流れが望まれるときに取り除かれるように動作可能な、除去可能なフィラメント部材
を含むことを特徴とする、マルチルーメンのアプリケータ。
【請求項１９】
皮下組織部位に減圧を供給するシステムにおいて、
コネクタと；
マルチルーメンのアプリケータであって：
近位端部および遠位端部を有し、かつ前記遠位端部に近接して減圧を分配するように複数のアパーチャを備えて形成されたアプリケータ本体、
前記複数のアパーチャの少なくとも一部分と前記コネクタとに流体的に結合された第１のルーメン、
前記複数のアパーチャの少なくとも一部分と前記コネクタとに流体的に結合された第２のルーメン
を含むマルチルーメンのアプリケータと；
前記コネクタに流体的に結合された減圧源と；
前記コネクタに流体的に結合されたパージユニットと；
前記コネクタに結合されたコントローラであって、
前記第１のルーメンを最初は前記減圧源に結合し、それにより複数のアパーチャの少なくとも一部分に減圧をもたらし、
前記第２のルーメンを最初は前記パージユニットに流体的に結合し、かつ
前記第１のルーメンが閉塞されると、前記第１のルーメンを前記パージユニットにおよび前記第２のルーメンを前記減圧源に結合させるように動作可能であるコントローラと；
を含むことを特徴とする、システム。
【請求項２０】
皮下組織部位に減圧を供給するシステムにおいて、
マルチルーメンのアプリケータであって：
近位端部および遠位端部を有し、かつ前記遠位端部に近接して減圧を分配する複数のアパーチャを備えて形成されたアプリケータ本体、
前記複数のアパーチャの少なくとも一部分に流体的に結合された第１のルーメン
前記複数のアパーチャの少なくとも一部分に流体的に結合された第２のルーメン
を含むマルチルーメンのアプリケータと；
前記第１のルーメンに流体的に結合された減圧源と；
初めに前記第１のルーメン内に配置される閉塞除去装置であって、活性化されると、前記第１のルーメン内から閉塞を除去するように動作可能な閉塞除去装置と
を含むことを特徴とする、システム。
【請求項２１】
請求項２０に記載のシステムにおいて、前記閉塞除去装置が閉塞除去部材を含むことを特徴とする、システム。
【請求項２２】
請求項２０に記載のシステムにおいて、前記閉塞除去装置が細長いブラシ部材を含むことを特徴とする、システム。
【請求項２３】
請求項２０に記載のシステムにおいて、前記閉塞除去装置が流体ジェット部材を含むことを特徴とする、システム。
【請求項２４】
請求項２０に記載のシステムにおいて、前記閉塞除去装置がパージ要素を含むことを特徴とする、システム。
【請求項２５】
請求項２０に記載のシステムにおいて、前記閉塞除去装置が細胞診ブラシを含むことを特徴とする、システム。
【請求項２６】
組織部位に減圧を供給しかつ流体を受け取るマルチルーメンのアプリケータにおいて、
遠位端部および近位端部を有し、かつ前記組織部位から流体を受け取りかつ減圧を供給する複数のアパーチャを備えて形成されたアプリケータ本体と；
前記複数のアパーチャに流体的に結合された第１のルーメンと；
第１の結合アパーチャを介して前記第１のルーメンに流体的に結合された第２のルーメンであって、前記第１の結合アパーチャが、少なくとも第１の構成および第２の構成を有する第１の活性化部材を含み、
前記活性化部材が前記第１の構成にあるときには前記第１の結合アパーチャが閉鎖され、および前記活性化部材が前記第２の構成にあるときには開放される、第２のルーメンと
を含むことを特徴とする、マルチルーメンのアプリケータ。
【請求項２７】
請求項２６に記載のマルチルーメンのアプリケータにおいて、前記第１のルーメンが、第２の結合アパーチャを介して第３のルーメンに流体的に結合され、前記第２の結合アパーチャが、少なくとも第１の構成および第２の構成を有する第２の活性化部材を含み、前記第２の結合アパーチャは、前記第２の活性化部材が前記第１の構成にあるときには閉鎖され、かつ前記第２の活性化部材が前記第２の構成にあるときには開放されていることを特徴とする、マルチルーメンのアプリケータ。
【請求項２８】
組織部位に減圧を供給しかつ流体を受け取るマルチルーメンのアプリケータにおいて、前記マルチルーメンのアプリケータが：
遠位端部および近位端部を有し、かつ前記組織部位から流体を受け取る第１の複数のアパーチャ、および前記組織部位から流体を受け取りかつ減圧を供給する第２の複数のアパーチャを備えて形成されたアプリケータ本体と；
前記第１の複数のアパーチャに流体的に結合された第１のルーメンと；
前記第２の複数のアパーチャに流体的に結合された第２のルーメンと；
を含み、
前記第２の複数のアパーチャの少なくとも１つが、第１の構成において前記アパーチャを閉鎖しかつ第２の構成において前記アパーチャを開放するように構成されている第１の活性化部材を含むことを特徴とする、マルチルーメンのアプリケータ。
【請求項２９】
請求項２８に記載のマルチルーメンのアプリケータにおいて、前記アプリケータ本体において、前記組織部位からの流体を受け取る複数の第３のアパーチャに流体的に結合された第３のルーメンをさらに含み、前記複数の第３のアパーチャの少なくとも１つが、第１の構成において前記アパーチャを閉鎖しかつ第２の構成において前記アパーチャを開放する第２の活性化部材を含むことを特徴とする、マルチルーメンのアプリケータ。
【請求項３０】
請求項２６または２８に記載のマルチルーメンのアプリケータにおいて、前記第１の活性化部材が、活性化されると破裂する第１の壊れやすい部材を含み、前記第１の構成は、前記部材が無傷である状態であり、前記第２の構成は、前記部材が破裂した状態であることを特徴とする、マルチルーメンのアプリケータ。
【請求項３１】
請求項２７または２９に記載のマルチルーメンのアプリケータにおいて、前記第２の活性化部材が、活性化されると破裂する第２の壊れやすい部材を含み、前記第１の構成は、前記部材が無傷である状態であり、前記第２の構成は、前記部材が破裂した状態であることを特徴とする、マルチルーメンのアプリケータ。
【請求項３２】
請求項３０に記載のマルチルーメンのアプリケータにおいて、前記第１の壊れやすい部材の第１の側面と第２の側面との間の圧力差が第１の閾値圧力差を上回ると、前記第１の壊れやすい部材が破裂することを特徴とする、マルチルーメンのアプリケータ。
【請求項３３】
請求項３１または３２に記載のマルチルーメンのアプリケータにおいて、前記第２の壊れやすい部材の第１の側面と第２の側面との間の圧力差が第２の閾値圧力差を上回ると、前記第２の壊れやすい部材が破裂することを特徴とする、マルチルーメンのアプリケータ。
【請求項３４】
請求項３３に記載のマルチルーメンのアプリケータにおいて、前記第２の閾値圧力差が前記第１の閾値圧力差を上回ることを特徴とする、マルチルーメンのアプリケータ。
【請求項３５】
請求項２６、２８乃至３１の何れか１項に記載のマルチルーメンのアプリケータにおいて、前記第１の活性化部材が、第１の閾値時間を上回る時間液体に曝されると、前記第１の構成から前記第２の構成へ変換されることを特徴とする、マルチルーメンのアプリケータ。
【請求項３６】
請求項２７、２８乃至３５の何れか１項に記載のマルチルーメンのアプリケータにおいて、第２の閾値時間を上回る時間液体に曝されると、前記第２の活性化部材が前記第１の構成から前記第２の構成へ変換することを特徴とする、マルチルーメンのアプリケータ。
【請求項３７】
請求項３６に記載のマルチルーメンのアプリケータにおいて、前記第２の閾値時間が前記第１の閾値時間よりも長いことを特徴とする、マルチルーメンのアプリケータ。
【請求項３８】
請求項２６に記載のマルチルーメンのアプリケータにおいて、前記第１のルーメンが、活性化部材のないアパーチャを介して前記第２のルーメンにさらに流体的に結合されることを特徴とする、マルチルーメンのアプリケータ。
【請求項３９】
皮下組織部位に減圧を供給するマルチルーメンのアプリケータにおいて、
近位端部および遠位端部を有し、かつ減圧を分配するために複数のアパーチャを備えて形成されたアプリケータ本体と；
前記複数のアパーチャに流体的に結合された第１のルーメンと；
前記複数のアパーチャに流体的に結合された第２のルーメンと；
前記第２のルーメン内に配置されていて、かつ前記第２のルーメン内で流体の流れが望まれるときに、取り除かれるように動作可能な除去可能なフィラメント部材と
を含むことを特徴とする、マルチルーメンのアプリケータ。
【請求項４０】
請求項３５または３６に記載のマルチルーメンのアプリケータにおいて、前記第１および／または第２の活性化部材が、ポリ乳酸（ＰＬＡ）、ポリグリコール酸（ＰＧＡ）、ポリ乳酸−コ−グリコール酸（ＰＬＧＡ）、ヒドロゲル、または架橋または硬化ゼラチンから形成されることを特徴とする、マルチルーメンのアプリケータ。